【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を有する遊技機であって、
遊技状態に応じて所定の可変表示条件が成立したことを検出し、検出したことを示す検出情報を出力する検出手段と、
前記検出手段により前記可変表示条件が成立したことが検出されたときに前記可変表示装置の表示結果を導出表示させる可変表示制御を行なう可変表示制御手段と、
前記可変表示装置にて表示結果として予め定められた特定の表示態様を表示した後に遊技者にとって有利な特定遊技状態に制御する特定遊技状態制御手段と、
前記可変表示装置にて特定の表示態様を表示する確率が向上する高確率状態に制御する高確率状態制御手段と、
前記所定の可変表示条件が成立する確率が向上する可変表示向上状態に制御する可変表示向上状態制御手段と、
前記可変表示制御が行なわれている最中に前記可変表示条件が成立したときに、予め定められた記憶数の範囲内で前記可変表示条件の成立回数を加算記憶可能であるとともに、前記可変表示制御手段による可変表示制御が実行されるごとにその成立回数の記憶を減算更新する条件成立回数記憶手段と、
前記条件成立回数記憶手段の記憶数の上限を超えているか否かにかかわらず、全ての前記可変表示条件の成立を表わす第１情報を該可変表示条件の成立ごとに遊技機外部へ出力可能な全可変表示条件成立情報出力手段と、
前記条件成立回数記憶手段の記憶数の範囲内で成立して前記可変表示制御が行なわれた有効可変表示条件の成立を表わす第２情報を該可変表示条件の成立ごとに遊技機外部へ出力可能な有効可変表示条件成立情報出力手段と、
前記特定遊技状態の発生を示す特定遊技状態発生情報と、前記高確率状態の発生を示す高確率状態発生情報と、前記可変表示向上状態の発生を示す可変表示向上状態発生情報とを合成した合成情報を遊技機外部へ出力可能な状態情報出力手段とを備え、
前記可変表示制御手段は前記可変表示制御を終了した後、再度可変表示制御可能となったときに前記条件成立回数記憶手段の記憶に基づいて前記可変表示制御を行ない、
前記全可変表示条件成立情報出力手段は、前記第１情報を出力してから所定時間が経過する以前に前記検出手段から前記検出情報が入力されたときには、前記第１情報の出力間隔が予め定められた期間以上となるように、前記検出情報を記憶させておき、前記所定時間が経過したときに前記第１情報を出力し、
前記有効可変表示条件成立情報出力手段は、前記有効可変表示条件の成立に基づいた可変表示装置の表示結果が導出表示された以降に前記第２情報を出力することを特徴とする、遊技機。
【手続補正２】
【補正対象書類名】明細書
【補正対象項目名】０００６
【補正方法】変更
【補正の内容】
【０００６】
請求項１記載の本発明は、表示状態が変化可能な可変表示装置を有する遊技機であって、
遊技状態に応じて所定の可変表示条件が成立したことを検出し、検出したことを示す検出情報を出力する検出手段と、
前記検出手段により前記可変表示条件が成立したことが検出されたときに前記可変表示装置の表示結果を導出表示させる可変表示制御を行なう可変表示制御手段と、
前記可変表示装置にて表示結果として予め定められた特定の表示態様を表示した後に遊技者にとって有利な特定遊技状態に制御する特定遊技状態制御手段と、
前記可変表示装置にて特定の表示態様を表示する確率が向上する高確率状態に制御する高確率状態制御手段と、
前記所定の可変表示条件が成立する確率が向上する可変表示向上状態に制御する可変表示向上状態制御手段と、
前記可変表示制御が行なわれている最中に前記可変表示条件が成立したときに、予め定められた記憶数の範囲内で前記可変表示条件の成立回数を加算記憶可能であるとともに、前記可変表示制御手段による可変表示制御が実行されるごとにその成立回数の記憶を減算更新する条件成立回数記憶手段と、
前記条件成立回数記憶手段の記憶数の上限を超えているか否かにかかわらず、全ての前記可変表示条件の成立を表わす第１情報を該可変表示条件の成立ごとに遊技機外部へ出力可能な全可変表示条件成立情報出力手段と、
前記条件成立回数記憶手段の記憶数の範囲内で成立して前記可変表示制御が行なわれた有効可変表示条件の成立を表わす第２情報を該可変表示条件の成立ごとに遊技機外部へ出力可能な有効可変表示条件成立情報出力手段と、
前記特定遊技状態の発生を示す特定遊技状態発生情報と、前記高確率状態の発生を示す高確率状態発生情報と、前記可変表示向上状態の発生を示す可変表示向上状態発生情報とを合成した合成情報を遊技機外部へ出力可能な状態情報出力手段とを備え、
前記可変表示制御手段は前記可変表示制御を終了した後、再度可変表示制御可能となったときに前記条件成立回数記憶手段の記憶に基づいて前記可変表示制御を行ない、
前記全可変表示条件成立情報出力手段は、前記第１情報を出力してから所定時間が経過する以前に前記検出手段から前記検出情報が入力されたときには、前記第１情報の出力間隔が予め定められた期間以上となるように、前記検出情報を記憶させておき、前記所定時間が経過したときに前記第１情報を出力し、
前記有効可変表示条件成立情報出力手段は、前記有効可変表示条件の成立に基づいた可変表示装置の表示結果が導出表示された以降に前記第２情報を出力することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１記載の本発明によれば、検出手段の働きにより、遊技状態に応じて所定の可変表示条件が成立したことが検出され、検出されたことを示す検出情報が出力される。可変表示制御手段の働きにより、前記検出手段により前記可変表示条件が成立したことが検出されたときに前記可変表示装置の表示結果を導出表示させる可変表示制御が行なわれる。特定遊技状態制御手段の働きにより、前記可変表示装置にて表示結果として予め定められた特定の表示態様が表示された後に遊技者にとって有利な特定遊技状態に制御される。高確率状態制御手段の働きにより、前記可変表示装置にて特定の表示態様を表示する確率が向上する高確率状態に制御される。可変表示向上状態制御手段の働きにより、前記所定の可変表示条件が成立する確率が向上する可変表示向上状態に制御される。条件成立回数記憶手段の働きにより、前記可変表示制御が行なわれている最中に前記可変表示条件が成立したときに、予め定められた記憶数の範囲内で前記可変表示条件の成立回数が加算記憶されるとともに、前記可変表示制御手段による可変表示制御が実行されるごとにその成立回数の記憶が減算更新される。全可変表示条件成立情報出力手段の働きにより、前記条件成立回数記憶手段の記憶数の上限を超えているか否かにかかわらず、全ての前記可変表示条件の成立を表わす第１情報が該可変表示条件の成立ごとに遊技機外部へ出力される。有効可変表示条件成立情報出力手段の働きにより、前記条件成立回数記憶手段の記憶数の範囲内で成立して前記可変表示制御が行なわれた有効可変表示条件の成立を表わす第２情報が該可変表示条件の成立ごとに遊技機外部へ出力される。状態情報出力手段の働きにより、前記特定遊技状態の発生を示す特定遊技状態発生情報と、前記高確率状態の発生を示す高確率状態発生情報と、前記可変表示向上状態の発生を示す可変表示向上状態発生情報とを合成した合成情報が遊技機外部へ出力される。前記可変表示制御手段のさらなる働きにより、前記可変表示制御を終了した後、再度可変表示制御可能となったときに前記条件成立回数記憶手段の記憶に基づいて前記可変表示制御が行なわれる。前記全可変表示条件成立情報出力手段のさらなる働きにより、前記第１情報を出力してから所定時間が経過する以前に前記検出手段から前記検出情報が入力されたときには、前記第１情報の出力間隔が予め定められた期間以上となるように、前記検出情報を記憶させておき、前記所定時間が経過したときに前記第１情報が出力される。前記有効可変表示条件成立情報出力手段のさらなる働きにより、前記有効可変表示条件の成立に基づいた可変表示装置の表示結果が導出表示された以降に前記第２情報が出力される。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】０１３９
【補正方法】変更
【補正の内容】
【０１３９】
請求項１記載の本発明によれば、全ての前記可変表示条件の成立を表わす第１情報の出力間隔が予め定められた期間以上となるように制御されるので、複数の前記可変表示条件が短期間に集中して成立した場合であってもそれらの第１情報は所定期間間隔をおいて順次出力されるために、該第１情報を受信する管理装置において該第１情報のすべてを短期間に処理しきれずに該第１情報の認識に欠落が生じるという不都合を防止でき、これにより、前記第１情報を管理装置で正確に計数することが可能となる。状態情報出力手段の働きにより、前記特定遊技状態の発生を示す特定遊技状態発生情報と、前記高確率状態の発生を示す高確率状態発生情報と、前記可変表示向上状態の発生を示す可変表示向上状態発生情報とを合成した合成情報が遊技機外部へ出力される。前記可変表示制御が有効に行なわれる有効可変表示条件の成立を表わす第２情報については該有効可変表示条件の成立に基づいた可変表示装置の表示結果が導出表示された以降に出力されるので、該第２情報を受信する管理装置においては、該第２情報を可変表示制御が実行された回数に関する情報とみなして、該有効可変表示条件成立情報を有効に活用することが可能となる。さらに可変表示制御が何らかの要因により中断された場合には前記第２情報は出力されず、これにより、管理装置においては、前記可変表示装置の表示結果が正常に導出表示された可変表示制御の実行回数を把握することが可能となる。
【手続補正９】
【補正対象書類名】明細書
【補正対象項目名】０１４０
【補正方法】削除
【補正の内容】
【手続補正１０】
【補正対象書類名】明細書
【補正対象項目名】０１４１
【補正方法】削除
【補正の内容】